(57)【要約】【課題】竹の子掘り、農作業、土木作業等の分野において、労力の軽減を多大に図れるようにした鍬用補助具および鍬を提供する。【解決手段】鍬１の柄２の根元部分に装着される固定部１１と、同固定部１１に設けられ、鍬の刃３と反対を向く踏み台１２とを備える鍬用補助具１０を用いる。鍬１の柄２の根元部分に鍬用補助具１０を装着し、鍬１の刃３を地中Ｇへ打ち込み、反対側の踏み台１２に足を載せて体重を掛け、テコの原理を利用して、地中Ｇに打ち込んだ鍬１の刃３で竹の子や土を堀り起こす。鍬４０の刃３の刃固定部５の背面に踏み台４１を一体に設けてもよい。【選択図】図１
2011019486.tif 000002
【特許請求の範囲】
【請求項１】
鍬の柄の根元部分に装着される固定部と、同固定部に設けられ、鍬の刃と反対を向く踏み台とを備えることを特徴とする鍬用補助具。
【請求項２】
前記踏み台と鍬の柄のなす角度が８０度ないし１３５度であることを特徴とする請求項１記載の鍬用補助具。
【請求項３】
前記踏み台が前記固定部に一体に設けられていることを特徴とする請求項１又は請求項２に記載の鍬用補助具。
【請求項４】
前記踏み台が前記固定部に対し踏み位置および折り畳み位置に切り替え可能とされていることを特徴とする請求項１ないし請求項３に記載の鍬用補助具。
【請求項５】
前記踏み台を前記固定部に対し踏み位置に固定する保持機構を備えることを特徴とする請求項１ないし請求項４に記載の鍬用補助具。
【請求項６】
前記固定部を鍬の柄の根元部分に対し着脱可能に装着するロック機構を備えることを特徴とする請求項１ないし請求項５に記載の鍬用補助具。
【請求項７】
柄の根元部分に鍬の刃と反対方向を向く踏み台を設けてなることを特徴とする鍬。
【請求項８】
前記踏み台が、鍬の刃の背面に設けられていることを特徴とする請求項７に記載の鍬。
【請求項９】
前記踏み台と鍬の柄のなす角度が８０度ないし１３５度であることを特徴とする請求項７または請求項８に記載の鍬。
【発明の詳細な説明】
【技術分野】
【０００１】
本発明は、竹の子掘り、農作業、土木作業等に用いられ、労力の軽減を図れるようにした鍬用補助具と鍬に関するものである。
【背景技術】
【０００２】
竹の子は地下約２５〜３０ｃｍの竹の根から芽を出し竹の子となる。竹の子を機械で採取するのは困難で、専ら鍬を用いて竹の子を掘り出している。日本の竹の子の生産はほとんどが中高年以上の高齢者の手によって行われているところ、竹の子を掘り出すには大変な労力を必要とするため、いかに労力を伴わずに容易に竹の子を掘り出せるかが長年の課題とされてきた。
【０００３】
竹の子の掘り出し方法について述べると、竹の子は地下約２５〜３０ｃｍのところにある竹の根から出ているので、鍬（山鍬）の刃を竹の子が芽を出している根元付近から地中へ向け大よそ２０〜４０度の角度で力強く打ち込み、テコの原理を利用して鍬の柄の先端を腕力で引いたり押したりして竹の子を掘り出す。強靭な竹の根、竹の子自身、周囲の土と他の植物の根の抵抗等があるため、この作業は力のある者でも一度鍬を打ち込むと容易に動かせず、まして、生産者の大部分である中高年以上の者にとって、その労力負担は計り知れないものである。更に、竹の子を掘り出す際に鍬の根元に大きな応力が作用するので、繰り返し使用により、柄が根元から折れ易いという耐久性の問題もあった。
【０００４】
一方、竹の子用の鍬に関する改良が提案されている（特許文献１参照）。
【先行技術文献】
【特許文献】
【０００５】
【特許文献１】実開平７−１４８０１号公報
【発明の概要】
【発明が解決しようとする課題】
【０００６】
しかしながら、特許文献１の改良は、鍬の刃の改良にとどまるもので、竹の子堀りに伴う労力を十分に軽減するものではない。また、鍬の根元が折れ易いという耐久性の点では従来の鍬と同様である。
【０００７】
本発明は、以上の事情に鑑みてなされたもので、竹の子掘り、農作業、土木作業等の分野において、労力の軽減を多大に図れるようにした鍬用補助具および鍬を提供することを目的とする。また、耐久性に優れる鍬を提供することを目的とする。
【課題を解決するための手段】
【０００８】
上記課題を解決するために、本発明に係る鍬用補助具は、鍬の柄の根元部分に装着される固定部と、同固定部に設けられ、鍬の刃と反対を向く踏み台とを備えることを第１の特徴とする。
【０００９】
本発明に係る鍬用補助具によると、本補助具を鍬に適用することにより、鍬の刃を地中へ打ち込んだ後、反対側の踏み台に足を載せて体重を掛けるだけで、地中に打ち込んだ鍬の刃を容易に起こすことができる。これにより、従来重労働とされた竹の子掘りにあって、地中の竹の子を容易に持ち上げて収穫することができ、また、その他の鍬を用いた農作業や土木作業においても、その労力を多大に軽減できる。
【００１０】
柄の根元部分は通常断面四角形で、柄の上端に行くに従い細くなる断面円形状へと形状変化する部分に大きな応力がかかる。柄の根元部分に固定部を装着し、固定部に鍬の刃と反対を向く踏み台を設けることで、前記形状変化部分にかかる応力を低減し、柄の耐久性を向上できる。
【００１１】
本発明に係る鍬用補助具は、前記踏み台と鍬の柄のなす角度が８０度ないし１３５度であることを第２の特徴とする。
【００１２】
本発明に係る鍬用補助具は、前記踏み台が前記固定部に一体に設けられていることを第３の特徴とする。
【００１３】
本発明に係る鍬用補助具は、前記踏み台が前記固定部に対し踏み位置および折り畳み位置に切り替え可能とされていることを第４の特徴とする。
【００１４】
本発明に係る鍬用補助具は、前記踏み台を前記固定部に対し踏み位置に固定する保持機構を備えることを第５の特徴とする。
【００１５】
本発明に係る鍬用補助具は、前記固定部を鍬の柄の根元部分に対し着脱可能に装着するロック機構を備えることを第６の特徴とする。
【００１６】
本発明に係る鍬は、柄の根元部分に鍬の刃と反対方向を向く踏み台を設けてなることを第１の特徴とする。
【００１７】
本発明に係る鍬によると、鍬の刃を地中へ打ち込んだ後、反対側の踏み台に足を載せて体重を掛けるだけで、地中に打ち込んだ鍬の刃を容易に起こすことができる。これにより、従来重労働とされた竹の子掘りにあって、地中の竹の子を容易に持ち上げて収穫することができ、また、その他の鍬を用いた農作業や土木作業等においても、その労力を多大に軽減できる。
【００１８】
本発明に係る鍬は、前記踏み台が、鍬の刃の背面に設けられていることを第２の特徴とする。
【００１９】
本発明に係る鍬は、前記踏み台と鍬の柄のなす角度が８０度ないし１３５度であることを第３の特徴とする。
【発明の効果】
【００２０】
以上説明したように、本発明の鍬用補助具によれば、本補助具を用いることにより、鍬の刃を地中へ打ち込んだ後、反対側の踏み台に足を載せて体重を掛けるだけで、地中に打ち込んだ鍬の刃を容易に起こすことができる。これにより、従来重労働とされた竹の子掘りにあって、地中の竹の子を容易に持ち上げて収穫することができ、また、その他の鍬を用いた農作業や土木作業等においても、その労力を多大に軽減できるという優れた効果を奏する。また、従来の鍬にそのまま適用できるので、従来の鍬をより使い勝手のよい便利なものとすることができる。
【００２１】
また、本発明の鍬によると、上に述べたように、竹の子掘り重労働から解放され、また、その他の鍬を用いた農作業や土木作業においてその労力を多大に軽減でき、柄の耐久性を向上できるという優れた効果を奏する。
【発明を実施するための最良の形態】
【００２２】
本発明を実施するための最良の形態について、図面を参照しながら説明する。図１ないし図６は本発明の第１実施形態を示すもので、図中、符号１は、本発明に係る鍬を示している。
【００２３】
鍬１は、長さ約１０５ｃｍの木製の柄２の根元部分に鉄製の刃３が約８０度の内角で固定されている。鉄製の刃３は、長さ約２０ｃｍの刃本体４と刃本体４を柄２に対し約８０度の内角に固定する刃固定部５とから構成されている。柄２は、根元部分が断面四角形をなし（図３参照）、形状変化部を介して頂部に向けて徐々に細くなる断面楕円形状をしている。
【００２４】
木製の柄２の根元部分には、刃固定部４の直上に鍬用補助具１０が刃本体４の付根から約６〜１０ｃｍの高さに取り付けられている。この鍬用補助具１０は、図１ないし図３に示すように、柄２の根元部分に装着される固定部１１と、同固定部１１に取り付けられ、刃本体４と反対を向く踏み台１２とを備えている。固定部１１は、柄２の根元部分の形状に合わせて平面視して断面略コ字形状をなす本体部１３と、その背面に所定間隔をおいて取り付けられた２枚の支持板１４，１４とから構成されている。本体部１３の前面にはボルト孔１５が設けられ、柄２の根元部分に螺合されるボルト１６により、柄２の根元部分に本体部１３を着脱可能に取り付けられるようになっている。なお、本体部１３の断面形状は、平面視して断面略ロ字形状であってもよく、この場合は柄２の上から入れて嵌める。
【００２５】
本体部１３の背面の２つの支持板１４，１４の内側には回動軸１７が取り付けられ、この回動軸１７に踏み台１２の支持部材１８の基端部１８ａが回動自在に支持されている。また、２つの支持板１４，１４の内側には支持部材１８を下から支持し、踏み台１２を踏み位置に保持する保持部材（保持機構）１９が設けられている。一方の支持板１４にはねじ孔２０が設けられるとともに、ねじ孔２０の周囲に固定板２１が溶接等で固定されている。そして、固定板２１には、棒状のロック部材（ロック機構）２２が螺合され、ロック部材２２の頭部には蝶ねじ２３が一体に設けられている。頭部の蝶ねじ２３を一方に回すことでロック部材２２を前進し、蝶ねじ２３を他方に回すことでロック部材２２を後退することができる。このロック部材２２の前進および後退により、踏み台１２を踏み位置および折り畳み位置に切り換えて固定できるようになっている。
【００２６】
踏み台１２は、支持部材１８の上面に長さ約２５ｃｍの踏み板２４が設けられており、刃３を地中Ｇへ打ち込んだ後、踏み板２４上面に足を載せて体重を掛け、地中Ｇに打ち込んだ刃３をテコの原理で容易に起こすことができるようになっている。この踏み板２４は、保持部材１９に支持され踏み位置に固定した姿勢で、踏み板２４と柄２のなす角度が８０度ないし１３５度の間の角度となるように設定されている。なお、踏み板２４の上面には滑り止め２５が設けられている。
【００２７】
以上のように構成された鍬１の作用について、竹の子掘りを例に説明すると、柄２に対し踏み台１２を折り畳んで折り畳み位置に固定し、まず、図４に示すように、鍬１の刃３を地中Ｇの竹の子Ｔに対し２０度〜４５度の角度（竹の子Ｔの伸長方向と柄２のなす角度）でその近くに打ち込む。次に、図５に示すように、鍬１の刃３を打ち込んだ姿勢で、蝶ねじ２３を回してロック部材２２を緩め、踏み台１２を踏み位置に回動させ、蝶ねじ２３を反対に回してロック部材２２を締め、踏み台１２を踏み位置に固定する。
【００２８】
この状態で、図６に示すように、作業者Ｍが柄２を片手（例えば左手）に持って、横向きの姿勢のままで、地面に着けた足と反対側の足（例えば図６の例では左足）を踏み台１２の踏み板２４上に載せて体重を掛ける。テコの原理により、強靭な竹の根、竹の子自身、周囲の土と他の植物の根の抵抗に拘らず、竹の子Ｔを容易に持ち上げることができる。また、このとき、鍬１の刃３を地中Ｇに打ち込んだとき、踏み板２４の高さは打ち込み角度が４５度の場合、地面から踏み板２４までの高さが約１４〜２０ｃｍ程度であるから、踏み位置が高過ぎることなく、踏み板２４に楽に足を載せて体重を掛けることができる。また、鍬用補助具１０の重さは約９００ｇと非常に軽い。柄２の形状変化部にかかる応力を軽減できるので、柄２が折れにくく、耐久性を向上できる。
【００２９】
図７および図８は本発明の第２実施形態を示すもので、図中、符号３０は、本発明に係る鍬を示している。第２実施形態の鍬３０は、軽量タイプ（約７００〜８００ｇ）で、柄２の長さは約９０ｃｍで、高齢者、女性、子供向きである。図１の部材と同一部材には同一符号を付してその説明を省略する。第２実施形態の鍬３０の柄２の根元部分には、刃固定部５の直上に鍬用補助具３１が刃本体４の付根から約１０ｃｍの高さに取り付けられている。
【００３０】
この鍬用補助具３１は、柄２の根元部分に装着される固定部３２と、同固定部３２に固定され、刃本体４と反対を向く板状の踏み台３３とを備えている。固定部３２は、柄２の根元部分の形状に合わせて断面略コ字形状をなす本体部３４と、その背面に取り付けられた支持板３５とから構成されている。本体部３４の前面にはボルト孔（図示せず）が設けられ、柄２の根元部分に螺合されるボルト３６により、柄２の根元部分に本体部３４を着脱可能に取り付けられるようになっている。
【００３１】
本体部３４の背面下部には板状の踏み台３３の基端部３３ａが斜め上向き（柄２とのなす角度が約７０度）に前記支持板３５とともに固定されており、踏み台３３は途中から斜め下向き（柄２とのなす角度が約１２０度）に屈曲されて約１０ｃｍの長さの踏み板３７が形成されている。踏み板３７の上面には滑り止め（図示せず）が設けられている。
【００３２】
第２実施形態の鍬３０は、前述したように軽量タイプで、高齢者、女性、子供向きである。竹の子堀りを例にして鍬３０の使用方法について説明すると、まず、鍬３０の刃３を地中Ｇの竹の子Ｔに対し２０度〜４５度の角度でその近くに打ち込み、次いで、図８に示すように、作業者Ｗが鍬３０の反対側に回り込み、前方位置の柄２の上端を両手に持って鍬３０と向き合う姿勢で足を踏み板３７上に載せて体重を掛ける。このとき、体重と腕の力を利用してテコの原理により、竹の子Ｔを容易に持ち上げることができる。高齢者、女性、子供であっても、体重と腕の力を利用してテコの原理により、竹の子Ｔを容易に持ち上げることができる。
【００３３】
図９は本発明の第３実施形態を示すもので、図中、符号４０は本発明に係る鍬を示している。第３実施形態の鍬４０は、軽量タイプ（約７００〜８００ｇ）で、かつ、高齢者、女性、子供向きである。なお、図１の部材と同一部材には同一符号を付してその説明を省略する。第３実施形態では、鍬４０の柄２の根元部分に固定された刃３の刃固定部５の背面に対し刃本体４と反対を向く踏み台４１が設けられている。
【００３４】
すなわち、刃３の刃固定部５の背面にはその上部に支持板４２が取り付けられるとともに、下部に板状の踏み台４１の基端部４１ａが斜め上向き（柄２とのなす角度が約７０度）に前記支持板４２とともに固定されており、踏み台４１は途中から斜め下向き（柄２とのなす角度が約１２０度）に屈曲されて約１０ｃｍの長さの踏み板４３が形成されている。踏み板４３の上面には滑り止め（図示せず）が設けられている。
【００３５】
第３実施形態の鍬４０は、第２実施形態と同様に、高齢者、女性、子供向きであり、鍬４０の使用方法としては、第２実施形態で説明した使用方法と同様にして、体重と腕の力を利用してテコの原理により、竹の子を容易に持ち上げることができる。踏み台４１が刃３の刃固定部５の背面に直接固定されているので、踏み台４１にかかる力が刃３に直接作用し、柄２にかかる応力をより低減し、耐久性を向上させることができる。
【００３６】
かくして、以上に詳しく述べたように、本発明によれば、鍬の刃を地中へ打ち込み、その反対側の踏み台に足を載せて体重を掛けるだけで、地中から竹の子を容易に掘り出すことができ、従来の竹の子堀りの重労働から解放されるとともに、その他の鍬を用いた農作業、土木作業等においても、その労力を多大に軽減できるし、耐久性を向上させることができる。
【００３７】
本発明が適用可能な鍬は、上に述べた竹の子掘り用に限らず、じゃが芋などの農作物の収穫や畑の開墾、田起こしなどの農作業、造園、土木など、鍬としての機能を備える用具であれば、幅広く含まれる。また、柄の形状、刃の形状は、上に述べた実施形態に限られない。
【産業上の利用可能性】
【００３８】
本発明に係る鍬用補助具および鍬は、竹の子掘り、農作業、土木作業等に用いられ、労力の軽減を図れる用具として、幅広く利用可能である。
【図面の簡単な説明】
【００３９】
【図１】本発明の第１実施形態を示す鍬用補助具が鍬に装着された状態を示す全体斜視図、
【図２】鍬に装着された鍬用補助具の踏み台を踏み位置姿勢に固定した状態を示す要部側面図、
【図３】図２に示す踏み位置姿勢を示すもので、一部を断面視した平面図、
【図４】図１に示す鍬を地中に打ち込んだ状態を示す説明図、
【図５】図４に示す打ち込み状態から、踏み台を踏み位置に回動させた状態を示す説明図、
【図６】図５に示す状態から、鍬用補助具および鍬を用いて竹の子を掘り出す様子を示す説明図、
【図７】本発明の第２実施形態を示す鍬用補助具が鍬に装着された状態を示す側面図、
【図８】図７に示す鍬用補助具および鍬を用いて竹の子を掘り出す様子を示す説明図、
【図９】本発明の第３実施形態を示す鍬の側面図である。
【符号の説明】
【００４０】
１，３０，４０  鍬
２  柄
３  刃
４  刃本体
５  刃固定部
１０，３１  鍬用補助具
１１，３２  固定部
１２，３３，４１  踏み台
１３，３４  本体部
１４，３５，４２  支持板
１５，３６  ボルト孔
１６，３７  ボルト
１７  回動軸
１８  支持部材
１８ａ  基端部
１９  保持部材（保持機構）
２０  ねじ孔
２１  ナット
２２  ロック部材（ロック機構）
２３  蝶ねじ
２４，３７，４３  踏み板
２５  滑り止め
Ｇ  地中
Ｍ，Ｗ  作業者
Ｔ  竹の子
【図１】
2011019486.tif 000003
【図２】
2011019486.tif 000004
【図３】
2011019486.tif 000005
【図４】
2011019486.tif 000006
【図５】
2011019486.tif 000007
【図６】
2011019486.tif 000008
【図７】
2011019486.tif 000009
【図８】
2011019486.tif 000010
【図９】
2011019486.tif 000011